(57)【要約】【課題】簡易かつ効果的な装置により、視野狭窄の人の視野を拡大するための道具を提供する。【解決手段】視野拡大具４０は、中央部に貫通孔２０ａを設けた凸面鏡２０と、凸面鏡２０からの反射光を反射する、凸面鏡２０と対向配置した結像鏡である平面鏡１０と、支持体（空洞体３０）とを備える。支持体には、凸面鏡２０に対する平面鏡１０の光軸を修正する摺動体６１と平面鏡回動機構５０を取り付ける。眼鏡１は、視野拡大具４０を両眼に眼鏡レンズとして備えている。このような視野拡大具は、結像鏡を、凸面鏡に設けられた貫通孔を通して覗くことにより、中心視野しかない視野狭窄の人でも視野を拡大した像を見ることができる。【選択図】  図１
2006280807.tif 000002
【特許請求の範囲】
【請求項１】
中央部に貫通孔を設けた凸面鏡と、
該凸面鏡からの反射光を反射する、該凸面鏡と対向配置した結像鏡と、
該凸面鏡を該結像鏡に接続する支持体と、を備えていることを特徴とする視野拡大具。
【請求項２】
上記結像鏡は、平面鏡である請求項１記載の視野拡大具。
【請求項３】
上記支持体を操作することにより、上記凸面鏡に対する上記結像鏡の配置を変更可能とする請求項１又は２に記載の視野拡大具。
【請求項４】
上記支持体は、透明な空洞体からなり、該空洞体の底部が上記凸面鏡と接続し、該空洞体頂部が上記結像鏡と接続している請求項１乃至３のいずれか１項に記載の視野拡大具。
【請求項５】
上記支持体の頂部に設けた空間部に枠体を備え、
該枠体の外周の対称位置に一対の第１凸部を設け、
該枠体の内周の対称位置に該第１凸部と直交する方向に、一対の第２凸部を設け、
該第１凸部は該支持体の対称位置に設けた一対の凹部と摺動自在に係合し、該第２凸部は上記結像鏡の外周の対称位置に設けた一対の凹部と摺動自在に係合することにより、該結像鏡を回動自在とする結像鏡回動機構を備えている請求項１乃至３のいずれか１項に記載の視野拡大具。
【請求項６】
上記支持体は、上記結像鏡を上記凸面鏡の光軸に対して垂直な平面上に対して移動可能に設ける摺動体を具備する請求項１乃至３のいずれか１項に記載の視野拡大具。
【請求項７】
上記摺動体に設けた貫通孔に上記結像鏡回動機構を備えている請求項６に記載の視野拡大具。
【請求項８】
請求項１乃至７のいずれか１項に記載の視野拡大具を両眼に眼鏡レンズとして備えていることを特徴とする眼鏡。
【発明の詳細な説明】
【技術分野】
【０００１】
本発明は、視野拡大具及び視野拡大眼鏡に関する。更に詳しくは、本発明は、視野狭窄の人の視野を拡大するために用いる視野拡大具及び視野拡大眼鏡に関する。
【背景技術】
【０００２】
人の視野を拡大するため道具として、表面補正レンズを用いたものがある（特許文献１参照）。また、視野狭窄の人の視野を拡大するための視覚拡張装置が知られている（特許文献２参照）。
【特許文献１】特表２００１−５１０９０５号公報
【特許文献２】特開２００３−２８７７０８号公報
【発明の開示】
【発明が解決しようとする課題】
【０００３】
しかし、特許文献１の表面補正レンズは健常者の視野の周辺を拡大するものであり、視野狭窄の人に視野を拡大することには寄与しないものである。ここで、「視野」とは、目の前の一点を凝視している時に見える範囲をいう。健常者の片眼の視野は、上方が約７０°下方が約８０°内方が約６０°外方が約９０°である。また、「視野狭窄」とは、視野に何らかの障害をきたした状態をいい、視野の広さが狭くなることを意味する。
視野狭窄は脳梗塞、緑内障などの疾病により引き起こされる場合も多く、特に高齢者に多く見られる。視野狭窄の人、特に高齢者にとって、複雑な構造物を取り扱うことは困難なことである。更に、脳梗塞等が原因で身体的に障害があればなおさらである。高齢化社会に向かい、視野狭窄の人口は増加する傾向にあり、簡易かつ効果的な方法により視野狭窄を解消する手段が要請される。
ここで、特許文献２の視野拡張装置は、視野狭窄の人の視野を拡大するものであるが、電子的方法により視野を拡大するものであり、撮像手段、画像処理手段、表示手段を備えていることが必要である。そのため、重装備であり、構造も複雑である。更に、バッテリを駆動源とするものであるため、定期的にバッテリを交換、又は、充電をする必要がある。視野狭窄の人にとって、かかる保守を定期的に行うことは容易ではない。
本発明は、上記問題点を解決するものであり、簡易かつ効果的な装置により、視野狭窄の人の視野を拡大するための道具を提供することを目的とする。
【課題を解決するための手段】
【０００４】
本発明は以下の通りである。
１．中央部に貫通孔を設けた凸面鏡と、該凸面鏡からの反射光を反射する、該凸面鏡と対向配置した結像鏡と、該凸面鏡を該結像鏡に接続する支持体と、を備えていることを特徴とする視野拡大具。
２．上記結像鏡は、平面鏡である上記１．記載の視野拡大具。
３．上記支持体を操作することにより、上記凸面鏡に対する上記結像鏡の配置を変更可能とする上記１．又は２．に記載の視野拡大具。
４．上記支持体は、透明な空洞体からなり、該空洞体の底部が上記凸面鏡と接続し、該空洞体頂部が上記結像鏡と接続している上記１．乃至３．のいずれかに記載の視野拡大具。
５．上記支持体の頂部に設けた空間部に枠体を備え、該枠体の外周の対称位置に一対の第１凸部を設け、該枠体の内周の対称位置に該第１凸部と直交する方向に、一対の第２凸部を設け、該第１凸部は該支持体の対称位置に設けた一対の凹部と摺動自在に係合し、該第２凸部は上記結像鏡の外周の対称位置に設けた一対の凹部と摺動自在に係合することにより、該結像鏡を回動自在とする結像鏡回動機構を備えている上記１．乃至３．のいずれかに記載の視野拡大具。
６．上記支持体は、上記結像鏡を上記凸面鏡の光軸に対して垂直な平面上に対して移動可能に設ける摺動体を具備する上記１．乃至３．のいずれか１項に記載の視野拡大具。
７．上記摺動体に設けた貫通孔に上記結像鏡回動機構を備えている上記６．に記載の視野拡大具。
８．上記１．乃至７．のいずれかに記載の視野拡大具を両眼に眼鏡レンズとして備えている眼鏡。
【発明の効果】
【０００５】
本発明の視野拡大具は、凸面鏡が広範囲の像を集約するという性質を利用し、凸面鏡に写った外界からの広範囲の像を凸面鏡と対向配置した結像鏡に反射させる。そして、その結像鏡を、凸面鏡に設けられた貫通孔を通して覗くことにより、中心視野しかない視野狭窄の人でも視野を拡大した像を見ることができる。
視野狭窄の多くは、視野領域が網膜中心部に残存している求心性狭窄である。従って、中心部の半径１０°の円内だけが見え、その周囲が全く見えないような、重度の視野狭窄の人であっても、凸面鏡中央部の貫通孔を通して、外界の広範囲の像を見ることが可能である。従って、本発明の視野拡大具によれば簡易かつ効果的に視野狭窄の人の視野を拡大することができる。
また、結像鏡に平面鏡を用いる場合は、凸面鏡や凹面鏡等を用いる場合より本視野拡大具を容易に作製することができる。
【０００６】
ここで、凸面鏡に対する結像鏡の光軸にずれがあると、凸面鏡に写し出された像を結像鏡に十分に取り込むことができず、広範囲の像を、視野の中に取り込むことができなくなる。
そこで、支持体の操作により、凸面鏡に対する結像鏡の配置を変更可能とすることができることが好ましく、こうであれば、凸面鏡に対する結像鏡の光軸のずれを修正できる。
また、支持体が、透明な空洞体からなるものであることが好ましく、こうであれば、透明であることにより、外界からの光を妨げることがない。更に、半球体であるため安定した形状を保つことができ、その頂部に結像鏡を確実に固定可能となり、凸面鏡に対する結像鏡の光軸のずれが生ずるのを防ぐことができる。
更に、支持体の頂部に設けた空間部に結像鏡回動機構を備えていることが好ましく、こうであれば、凸面鏡に対する結像鏡の、角度に起因する光軸のずれを修正できる。
そして、支持体が、結像鏡を凸面鏡の光軸に対して垂直方向に移動可能に、結像鏡を取付可能な摺動自在の摺動体を備えていることが好ましく、こうであれば、凸面鏡に対する結像鏡の、水平方向の位置に起因する光軸のずれを修正できる。
更に、摺動体に設けた貫通孔に結像鏡回動機構を備えていることが更に好ましく、こうであれば、凸面鏡に対する結像鏡の、角度と水平方向の位置の両方に起因する光軸のずれを修正できる。
【０００７】
そして、視野拡大具を眼鏡レンズとして備えた眼鏡であれば、人への装着が容易であり、使用に際しても便利である。そして、両眼視することにより視野が更に広がる。更に、両眼視することにより、左右の眼が互いに補い合い、反射鏡が視界を妨げるのを防ぐことできる。
【発明を実施するための最良の形態】
【０００８】
本視野拡大具は、中央部に貫通孔を設けた凸面鏡と、凸面鏡からの反射光を反射する、凸面鏡と対向配置した結像鏡と、凸面鏡を結像鏡に接続する支持体と、を備えており、貫通孔を介して結像鏡を見ることによって、視野拡大具を使わない場合より広い視野の像を見ることができる。
上記「結像鏡」は、凸面鏡によって集光された光を眼の網膜に向けて反射することができる鏡であればよく、平面鏡、凸面鏡及び凹面鏡等は問わないが、特に作製が容易な点で平面鏡が好ましい。また、上記「中央部」は、凸面鏡の中心であることが好ましいが、中心から少しずれた中心付近も含むことができる。
【０００９】
図１に示すように、本発明の視野拡大具４０は、中央部に直径２〜３ｍｍの貫通孔２０ａを設けた凸面鏡２０と、凸面鏡２０の中心表面から２〜３ｃｍの位置に対向配置した直径約１ｃｍの結像鏡である平面鏡１０と、支持体としての空洞体３０とを備えている。
空洞体３０は透明の半球体からなり、その底部内面が凸面鏡２０の側面２０ｂに嵌合接着されている。そして内面頂部の、凸面鏡２０と対向する位置に平面鏡１０が接着固定されている。なお、凸面鏡２０の裏面は、貫通孔以外からの光が眼に入るのを防ぐように、黒色の材料でコーティング処理されている。
また、空洞体３０は透明な樹脂等を用いることで、外界からの光を妨げることがない。更に、半球体であるため安定した形状を保つことができ、その頂部に平面鏡１０を確実に固定可能となり、凸面鏡２０に対する平面鏡１０の光軸のずれが生ずるのを防ぐことができる。凸面鏡２０に対する平面鏡１０の光軸にずれがあると、凸面鏡２０に写し出された像を結像鏡である平面鏡１０に十分に取り込むことができず、広範囲の像を結像し、視野の中に取り込むことができないからである。
【００１０】
以下、本実施形態の作用を説明する。図２に示すように、視野狭窄の人の眼前約１２ｍｍの位置に、凸面鏡２０の裏面を内側として貫通孔２０ａを覗くように配置する。物体２５の点Ａ、Ｂからの光は、矢印に沿って進み、まず、凸面鏡で反射され、次に、平面鏡１０の表面１０ａにＡ´、Ｂ´として写る。更に、Ａ´、Ｂ´からの光は眼の網膜上にＡ"、Ｂ"として写り、物体２５の全体像を取り込むことができる。従って、中心視野しかない視野狭窄の人であっても広範囲の視界を一度に狭い視野の中に集約して取り込むことができる。一方、図３に示すように、何ら、手段を用いなければ、中心視野しかない視野狭窄の人は物体２５の点Ｃ、Ｄからの光が網膜上にＣ´、Ｄ´として写し出されるが、ＣＤ間を超えた範囲は一度に視野の中に取り込むことができない。
【００１１】
図４に示すように空洞体３０の頂部に空間部３０ａを設け、結像鏡回動機構５０を備えることもできる。結像鏡回動機構５０は以下の構成からなる。外周の対称位置に一対の第１凸部５１ａ、内周の対称位置に第１凸部５１ａと直交する方向に一対の第２凸部５１ｂ、を有する枠体５１を備え、枠体５１の第１凸部５１ａは空洞体３０の頂部の対称位置に設けた一対の凹部３０ｂと摺動自在に係合し、第２凸部５１ｂは平面鏡５２の外周の対称位置に設けた一対の凹部５２ａと摺動自在に係合することにより、平面鏡５２を回動自在とする。この機構を取り付けることにより、凸面鏡２０に対する結像鏡である平面鏡５２の角度を変えることが可能となる。そうすると、凸面鏡２０に対する平面鏡５２の光軸のずれが生じても、角度に起因する光軸のずれを修正できる。
【００１２】
図５に示すように、空間部３０ａに、平面鏡６２を取り付けた摺動体６１を空洞体３０に設けた溝部３１に摺動自在とするように取り付けることも可能である。こうすることにより、滑り止め部材６１ａに指を掛けて摺動体６１を凸面鏡に対して水平方向に移動させることが可能であり、凸面鏡２０に対する平面鏡６２の水平方向の位置に起因する光軸のずれを修正できる。
更に、摺動体６１の中央に空間部を設けて、結像鏡回動機構５０を取り付けることもできる。こうであれば、凸面鏡２０に対する結像鏡である平面鏡６２の角度と水平方向の位置の両方に起因する光軸のずれを修正できる。
【００１３】
別の支持体を用いた視野拡大具の実施形態を図６、図７に示す。支持体以外の構成は、図１の構成と同様である。
図６に示す視野拡大具４１は、複数の透明の長尺体３１を支持体としており、平面鏡１０の側面と凸面鏡２０の側面に複数の透明の長尺体３１を接着固定することにより構成されている。長尺体３１に代えて、針金を用いることもできる。又これら支持体が曲折可能なものであれば、手で曲折することにより凸面鏡２０に対する平面鏡１０の光軸のずれを修正することができる。
【００１４】
図７に示す視野拡大具４２は、凸面鏡２０に設けた小孔に支持体としての棒状体３２の一端が嵌合接着され、他端が平面鏡１０に設けた小孔と摺動自在に接続されている。こうであれば、平面鏡１０を手で動かすことにより光軸の修正が可能となる。なお、これとは逆に、平面鏡１０に棒状体３２の一端が嵌合接着され、他端が凸面鏡２０に設けた小孔と摺動自在に接続されることにより、光軸の修正を可能とすることもできる。
【００１５】
図８に示すように、本発明の視野拡大眼鏡１は、図１に示す視野拡大具４０を取り付けたものであり、空洞体３０の底部外面３０ａを眼鏡の前枠２の内面３１に嵌合接着したものである。視野拡大眼鏡１によれば、装着が容易であり、使用に際しても便利である。そして、両眼視することにより視野が更に広がる。更に、左右の眼が互いに補い合い、反射鏡１０が視界を妨げるのを防ぐことできる。なお、平面回動機構、摺動体、又はその組み合わせ構造を用いた視野拡大具を眼鏡枠に取り付けることもできる。更に、前枠２には図６、図７に示す視野拡大具４１又は、４２を取り付けて使用することもできる。
なお、本発明の視野拡大具は図８に示す通常の眼鏡以外にも、ゴーグルに取り付けたり、帽子に取り付けて使用することも可能である。
更に、通常の近視等の視力矯正用の眼鏡の上から、本発明の視野拡大眼鏡を装着することも可能である。
更には、凸面鏡の貫通孔に、視力矯正用のレンズを取り付けて、使用することも可能である。
【図面の簡単な説明】
【００１６】
【図１】第一実施形態の視野拡大具を示す斜視図である。
【図２】視野拡大具を用いた場合の見え方を模式的に示す説明図である。
【図３】視野拡大具を用いない場合の見え方を模式的に示す説明図である。
【図４】結像鏡回動機構を示す斜視図である。
【図５】摺動体が空洞体に取り付けられた状態を示す断面図である。
【図６】第二実施形態の視野拡大具を示す斜視図である。
【図７】第三実施形態の視野拡大具を示す斜視図である。
【図８】実施形態の視野拡大眼鏡を示す斜視図である。
【符号の説明】
【００１７】
２０ａ；凸面鏡に設けた貫通孔、２０；凸面鏡、１０、５２、６２；平面鏡（結像鏡）、４０、４１、４２；視野拡大具、３０；空洞体、３０ａ；空間部、５１；枠体、５１ａ；第１凸部、５１ｂ；第２凸部、３０ｂ；凹部、５０；結像鏡回動機構、６１；摺動体、１；眼鏡。
【図１】
2006280807.tif 000003
【図２】
2006280807.tif 000004
【図３】
2006280807.tif 000005
【図４】
2006280807.tif 000006
【図５】
2006280807.tif 000007
【図６】
2006280807.tif 000008
【図７】
2006280807.tif 000009
【図８】
2006280807.tif 000010